(57)【要約】【課題】  テンプレートを用いることなく、眉毛部分を見ながら眉墨で眉を描くことのできる眉の輪郭描き具を提供する。【解決手段】  眉の輪郭描き具１は、描くべき眉の輪郭に沿って着色材７を点付けまたは、線付けする複数または連続したペン部４を環状に配列した支持体２と、支持体２に着脱自在に連結した把持部３を備えている。【選択図】        図１
2005329015.tif 000002
【特許請求の範囲】
【請求項１】
描くべき眉の輪郭に沿って着色材７を点付けまたは、線付けする複数または連続したペン部４を配列した支持体２と、支持体２に連結した把持部３を備えていることを特徴とする眉の輪郭描き具。
【請求項２】
請求項１において、前記支持体２は着色材７を収容する収容部６と、収容部６に収容した着色材７をペン部４に供給する供給部８を有することを特徴とする眉の輪郭描き具。
【請求項３】
請求項１において、前記ペン部４はその先端部に外部から着色材７を付着させるように構成されていることを特徴とする眉の輪郭描き具。
【請求項４】
請求項１ないし３のいずれかにおいて、前記支持体２に把持部３が揺動自在に連結されていることを特徴とする眉の輪郭描き具。
【請求項５】
請求項１ないし４のいずれかにおいて、前記支持体２に把持部３が着脱自在に連結されていることを特徴とする眉の輪郭描き具。
【発明の詳細な説明】
【技術分野】
【０００１】
本発明は顔の眉毛部分に眉墨で眉を描く際に用いる輪郭描き具に関する。
【背景技術】
【０００２】
化粧に際して眉墨で眉を描くことは重要なポイントであるが、形のよい眉を上手に描くことは難しく、気に入るまでやる直すことも多い。そこで従来から、形のよい眉を効率よく描くための補助具が種々提案されている。例えば特許文献１、特許文献２、特許文献３などには化粧用もしくは眉描き用としてのテンプレートが記載されている。
【０００３】
【特許文献１】特開平８−８９３４０号公報
【特許文献２】特開平９−２８４５８号公報
【特許文献３】特開平１０−１０８７３０号公報
【発明の開示】
【発明が解決しようとする課題】
【０００４】
しかしテンプレートを用いて眉墨で眉を描くには、そのテンプレートで顔の一部を隠さなければならないので、眉毛と他の部分の位置関係やバランスを確かめながら眉墨で眉を描くことができないという問題がある。またテンプレート類を片手で保持するか又は、保持したバンドなどで顔に固定する等の煩わしさがあった。更には、眉墨の芯の太さ分だけテンプレートの内側に眉が描かれ、隅まで描ききれない欠点もあった。
そこで本発明はこのような従来の問題を解決することを課題とし、そのための新しい眉の輪郭描き具を提供することを目的とする。
【課題を解決するための手段】
【０００５】
前記課題を解決する本発明は、描くべき眉の輪郭に沿って着色材を点付けまたは、線付けする複数のまたは連続したペン部を配列した支持体と、支持体に連結した把持部を備えていることを特徴とする眉の輪郭描き具である（請求項１）。
【０００６】
上記眉の輪郭描き具において、前記支持体は着色材を収容する収容部と、収容部に収容した着色材をペン部に供給する供給部を有することができる（請求項２）。
【０００７】
さらに上記眉の輪郭描き具において、前記ペン部はその先端部に外部から着色材を付着させるように構成することができる（請求項３）。
【０００８】
上記いずれかの眉の輪郭描き具において、前記支持体に把持部を揺動自在に連結することができる（請求項４）。
【０００９】
さらに上記いずれかの眉の輪郭描き具において、前記支持体に把持部を着脱自在に連結することができる（請求項５）。
【発明の効果】
【００１０】
上記のように構成した本発明の眉の輪郭描き具は、鏡を見ながらその支持体を顔の眉毛部分に押し付けることにより、着色材によりワンタッチで眉の輪郭を正確に描くことができる。そして描かれた輪郭内に眉墨を塗れば目的とする眉の化粧が完成する。このように顔の全体とのバランスや位置を確認しながら眉の化粧ができるので、眉墨で眉を描いた後に気に入らず、やり直しするということも無くなる。
【００１１】
上記眉の輪郭描き具において、請求項２に記載のように、支持体に着色材を収容する収容部と、その収容部に収容した着色材をペン部に供給する供給部を有する場合は、使用に際して収容部から常に着色材がペン部に供給されるので、着色材をペン部につけるパッド等を別に設ける必要がない。
【００１２】
上記眉の輪郭描き具において、請求項３に記載のように、ペン部の先端部に外部から着色材を付着させるように構成した場合は、眉の輪郭描き具の構造が簡単になり且つ軽量化できる。
【００１３】
上記いずれかの眉の輪郭描き具において、請求項４に記載のように、支持体に把持部を揺動自在に連結する場合は、把持部を手で持って支持体を顔の眉毛部分に当てるときに、その支持体の角度が眉毛部分の曲線に合うように自動的に変化するので、全てのペン部を確実に眉毛部分に接触させることができる。
【００１４】
上記いずれかの眉の輪郭描き具において、請求項５に記載のように、支持体に把持部を着脱自在に連結する場合は、共通の把持部と輪郭の形状や大きさ等を変えた複数の支持体を組み合わせたコンパクトな眉の輪郭描き具セットを低コストで構成することができる。
【発明を実施するための最良の形態】
【００１５】
次に図面により本発明を実施するための最良の形態を説明する。図１は本発明に係る眉の輪郭具の１例を示すもので、（Ａ）は全体斜視図、（Ｂ）は（Ａ）に示す支持体のＢ−Ｂ断面図、（Ｃ）は（Ｂ）の状態からペン部のノズル孔１０が開いた状態に変化した断面図である。これらの図において、眉の輪郭描き具１は支持体２と、支持体２の片面に着脱自在に連結した把持部３と、支持体２の他面に配列した複数のペン部４を備えている。
【００１６】
支持体２は顔面の眉毛部分にフィットできる程度の柔軟性を有するプラスチック等の比較的薄い板材で作られ、描くべき眉の輪郭より幾分大きい平面寸法と顔面の眉毛部分の平均的な曲面に適合する湾曲面を有している。そして支持体２の片面中間部には枠状に形成した接続部５が設けられ、その接続部５に把持部３の先端部を嵌入又はそこから引き抜くことにより、把持部３を支持体２に容易に着脱することができる。なお把持部３は先端部に近い部分が折れ曲がった棒体からなり、この把持部３を手で把持して眉の輪郭を描く。なお、この把持部３は柄とする代わりに、突起のようなものであってもよい。また、着脱できないものも本発明に含まれる。
【００１７】
図１（Ｂ）に示すように、支持体２の他面側に１つの収容部６と、収容部６に収容した液状の着色材７を各ペン部４に供給する複数の供給部８が設けられる。厚さ１〜数ｍｍ程度の平坦な収容空間を有する収容部６は、支持体２の他面のほぼ全域を覆うように設けられ、その収容部６の表面に筒状に形成された複数の供給部８が環状に配列される。そして各供給部８にペン部４がそれぞれ連結される。従って複数のペン部４も支持体２の他面に環状に配列された状態になる。
【００１８】
各ペン部４は供給部８に連通する筒体９と、筒体９の先端に設けたノズル孔１０と、筒体９の内部にスライド自在に配置した環状の支持部材１１と、後端部を支持部材１１の中心部に固定するとともに先端部をノズル孔１０にスライド自在に挿通した弁棒１２と、支持部材１１の底部と支持体２の他面間に配置した圧縮スプリング１３を有する。そして支持部材１１の周縁部に近い部分に１つまたは複数の流通孔１４が形成される。なお、各ペン部４は互いに独立し、独立した着色材の供給部を有してもよい。
【００１９】
上記の眉の輪郭描き具１で眉の輪郭を描くには、把持部３を把持して支持体２の他面側を顔の眉を化粧をする部分に位置合わせし、その他面側を顔面の眉毛部分に軽く押し付ける。すると図１（Ｃ）に示すように弁棒１２が圧縮スプリング１３を圧縮しながら支持部材１１とともに矢印方向に移動する。するとノズル孔１０が開口して収容部６に収容された着色材が供給部８から支持部材１１の流通孔１４を通ってノズル孔１０より流出する。次に眉の輪郭描き具１を眉毛部分から離反すると、圧縮スプリング１３の反発力で支持部材１１が前記と逆の方向に移動し、それに固定した弁棒１２が元の位置に復帰してノズル孔１０が閉じる。
【００２０】
図２は上記のようにして顔の眉毛部分に描かれた眉の輪郭であり、（Ａ）は図１の眉の輪郭描き具１で描いた左眉毛部分、（Ｂ）は図１とは逆の形状の眉の輪郭描き具１で描いた右眉毛部分である。これら眉の輪郭１５は、各ノズル孔１０から流出した着色材で環状に配列した複数の点１６により形成される。そしてこの輪郭１５の内側に眉墨を塗ることにより所望の眉の化粧が完成する。なお、着色材７は肌に有害でない物質で且つ眉墨を塗ったときにそれに隠される色を有するものであれば特に制限はないが、眉墨と同じ材料または同系統の着色材７が望ましい。
【００２１】
図３はペン部４、収容部６および供給部８の構造を変えた他の実施形態であって、図１（Ｂ）に準じてその断面図を示している。本実施形態では支持体２の他面側に設けた平坦な収容空間を有する収容部６の内部にフェルト製の吸収パッド１７が充填され、液状の着色材７はその吸収パッド１７に吸収された状態で収容される。
【００２２】
収容部６の表面に筒状の供給部８が連設され、吸収パッド１７の中から供給部８の内部を挿通する硬質のフェルト製（通常のフェルトペンのペン先と同じ材質）のペン軸１８が外側に突出している。そして保管中などにおいてペン部４の先端の着色材が外部の物体に付着することを防止するため、ペン部４を覆う保護カバー１９が支持体２の他面側に着脱自在に装着される。
【００２３】
図３の実施形態の輪郭描き具１で眉の輪郭を描くには、保護カバー１９をはずした状態でペン部４を眉毛部分に位置合わせして軽く押し付ける。すると収容部６の吸収パッド１７からペン軸１８の先端部まで常時吸い上げられている着色材が顔面の眉毛部分に付着して図２と同様な眉の輪郭１５が描かれる。
【００２４】
図４は本発明に係る眉の輪郭描き具の他の実施形態を示す斜視図である。本実施形態の眉の輪郭描き具１は、支持体２の片面に把持部３が着脱自在に且つ揺動自在に連結され、支持体２の他面にスポンジ等の弾性を有する材料で形成した緩衝層２０を介して薄い支持板２１が接着され、その支持板２１に複数のペン部４が環状に配列されている。
【００２５】
支持体２の片面には短く幅の小さい板材の先端に棒状の掛止部を有する接続部５が設けられ、把持部３の先端部に凹溝２２が形成され、矢印のように凹溝２２を接続部５の掛止部に掛け止めることにより、把持部３が支持体２に着脱自在に且つ揺動自在に連結される。本実施形態のペン部４は図３の例と同様な硬質のフェルト製とされ、その先端に外部から着色材を付着させて眉の輪郭を描くようになっている。
【００２６】
図５は図４のペン部４に外部から着色材７を付着させている状態を示す図である。
付着のためにペン部４の配列寸法より幾分大きな表面積を有する着色液容器２３が準備される。着色液容器２３の内部にフェルト製の吸収パッド１７が充填され、その吸収パッド１７に液状のまたは粉状の着色材７が吸収されている。そして図示のように各ペン部４の先端部を吸収パッド１７に押し付けることにより、着色材７がペン部４の先端部に付着する。
【００２７】
図６は本発明に係る眉の輪郭描き具のさらに他の実施形態を示す斜視図である。本実施形態の輪郭描き具１は、そのペン部４の先端形状が図１，図３および図４のように点状ではなく短い線状に形成されていることに特徴があり、そのほかは図１，図３および図４と同様に構成される。なお、その線を連続した形状とすることもできる。
【００２８】
図７（Ａ）は図６の輪郭描き具１で描いた左眉毛部分であり、図７（Ｂ）は図７（Ａ）とは逆の形状の輪郭描き具１で描いた右眉毛部分である。これら眉の輪郭１５は、各ペン部４の先端に付着した着色材で環状に配列した複数の短い線部１６ａにより形成される。  なお、本実施形態では各線部１６ａは互いに間隔を有して配列されるが、たとえば各ペン部４を１本の連続した環状のペン部４とすることにより、これらの各線部１６ａの間隔がない連続した環状の輪郭１５を描くこともできる。
【産業上の利用可能性】
【００２９】
本発明の眉の輪郭描き具は、眉の化粧用具として利用できる。
【図面の簡単な説明】
【００３０】
【図１】本発明の眉の輪郭描き具の１例を示す図。
【図２】図１の輪郭描き具１で顔の眉毛部分に描かれた眉の輪郭１５を示す図。
【図３】輪郭描き具１を構成するペン部４、収容部６および供給部８の他の実施形態を図１（Ｂ）に準じて示す断面図。
【００３１】
【図４】本発明に係る眉の輪郭描き具の他の実施形態を示す斜視図。
【図５】図４のペン部４に外部から着色材７を付着させている状態を示す図。
【図６】本発明に係る眉の輪郭描き具のさらに他の実施形態を示す斜視図。
【図７】図６の実施形態における輪郭描き具１で描いた眉毛部分を示す図。
【符号の説明】
【００３２】
１  輪郭描き具
２  支持体
３  把持部
４  ペン部
５  接続部
６  収容部
７  着色材
８  供給部
９  筒体
１０  ノズル孔
１１  支持部材
１２  弁棒
【００３３】
１３  圧縮スプリング
１４  流通孔
１５  輪郭
１６  点
１６ａ  線部
１７  吸収パッド
１８  ペン軸
１９  保護カバー
２０  緩衝層
２１  支持板
２２  凹溝
２３  着色液容器
【図１】
2005329015.tif 000003
【図２】
2005329015.tif 000004
【図３】
2005329015.tif 000005
【図４】
2005329015.tif 000006
【図５】
2005329015.tif 000007
【図６】
2005329015.tif 000008
【図７】
2005329015.tif 000009